(57)【要約】      （修正有）【課題】放熱機能付き嵌め込み式ＬＥＤ照明装置を提供する。【解決手段】上記の照明装置は、放熱シート１０、ＬＥＤモジュール１２、スリーブ１４及び透光板１６を包含する。該ＬＥＤモジュールは該放熱シートに設置され、印刷回路板２８と一つ以上のＬＥＤチップを包含し、該ＬＥＤチップは該印刷回路板に固定される。該スリーブは該放熱シートに固定され、ＬＥＤモジュールが該スリーブ内に配置され、該透光板は該スリーブ上に組み合わされて、該スリーブを閉じる。【選択図】図２
0003157520.tif 000002
【実用新案登録請求の範囲】
【請求項１】
放熱機能付き嵌め込み式ＬＥＤ照明装置において、
第１表面と第２表面とが設けられた放熱シートと、
印刷回路板と一つ以上のＬＥＤチップとを包含し、該ＬＥＤチップは該印刷回路板に固定され、該印刷回路板は該放熱シートに固定されるＬＥＤモジュールと、
スリーブであって、該放熱シートに固定され、該ＬＥＤモジュールを該スリーブ内部に配置させる、上記スリーブと、
該スリーブに組み合わされて該スリーブを閉じる透光板と、
を包含したことを特徴とする、放熱機能付き嵌め込み式ＬＥＤ照明装置。
【請求項２】
請求項１記載の放熱機能付き嵌め込み式ＬＥＤ照明装置において、該放熱シートの中央に円柱体が設けられ、該円柱体より外向きに輻射状を呈する複数の放熱片が設けられたことを特徴とする、放熱機能付き嵌め込み式ＬＥＤ照明装置。
【請求項３】
請求項２記載の放熱機能付き嵌め込み式ＬＥＤ照明装置において、該複数の放熱片が同じ長さとされ、これにより該放熱シートが円柱状を形成することを特徴とする、放熱機能付き嵌め込み式ＬＥＤ照明装置。
【請求項４】
請求項１記載の放熱機能付き嵌め込み式ＬＥＤ照明装置において、該放熱シートの第１表面に複数の第１固定孔が設けられ、該ＬＥＤモジュールの印刷回路板に該第１固定孔に対応する第２固定孔が設けられたことを特徴とする、放熱機能付き嵌め込み式ＬＥＤ照明装置。
【請求項５】
請求項１記載の放熱機能付き嵌め込み式ＬＥＤ照明装置において、該放熱シートの第１表面に複数の第３固定孔が設けられ、該スリーブに該第３固定孔に対応する第４固定孔が設けられたことを特徴とする、放熱機能付き嵌め込み式ＬＥＤ照明装置。
【請求項６】
請求項２記載の放熱機能付き嵌め込み式ＬＥＤ照明装置において、該放熱シートの円柱体の中央に該第１表面から該第２表面に貫通する貫通孔が設けられたことを特徴とする、放熱機能付き嵌め込み式ＬＥＤ照明装置。
【考案の詳細な説明】
【技術分野】
【０００１】
本考案は一種の放熱機能付き嵌め込み式ＬＥＤ照明装置に係り、特に熱エネルギーのスピーディーに散逸でき、使用寿命が延長され照度が高められた、放熱機能付き嵌め込み式ＬＥＤ照明装置。
【背景技術】
【０００２】
日常生活において、照明設備は不可欠の生活用品であり、人々の生活方式を変えてきた。現在、一般家庭及び屋内の公共の場所で、各種の照明装置、例えば、蛍光灯、照明用ライト、テーブルランプ、ペンダントライト、ネオンライト等が使用され、暗さのもたらす不便を改善する。
【０００３】
照明装置が異なれば、その用途もまた異なり、例えば、一般の蛍光灯、照明用ライト、テーブルランプ等は、一般照明用途に使用されるが、特殊用途の照明装置もあり、例えばナイトランプは人々の睡眠時に照明を提供し、その発光パワーは比較的低く、補助的に用いられるだけである。
【０００４】
伝統的な灯管或いは電球は温度上昇が急速で消費電力が大きいという欠点を有し、また廃棄後に環境保護の問題を形成することから、近年、ＬＥＤを光源とする技術が発展した。
【０００５】
ＬＥＤは消費電力が少なく、素子寿命が長く、ウォーミングアップ時間が不要で、反応速度が速い等の長所を有するものの、一般に、ＬＥＤの発光の輝度は伝統的な灯管或いは電球より低く、このため、ハイパワーのＬＥＤが照明光源として採用される。ハイパワーＬＥＤは比較的高い輝度を提供できるが、持続的に使用すると、温度上昇が発光効率に影響を与え、これにより、如何にＬＥＤ照明装置に良好な照明効果を具備させ、有効にその放熱効果をアップするかが、業界の重要な課題となっている。
【考案の概要】
【考案が解決しようとする課題】
【０００６】
本考案の目的は、放熱機能付き嵌め込み式ＬＥＤ照明装置を提供することにあり、それは良好な放熱効果を有し、その使用寿命が延長され、その光減衰が少なく、照度アップの目的を達成できるものとする。
【課題を解決するための手段】
【０００７】
本考案は放熱シート、ＬＥＤモジュール、スリーブ及び透光板を包含する。該ＬＥＤモジュールは該放熱シートに設置され、印刷回路板と一つ以上のＬＥＤチップを包含し、該ＬＥＤチップは該印刷回路板に固定される。該スリーブは該放熱シートに固定され、ＬＥＤモジュールが該スリーブ内に配置され、該透光板は該スリーブ上に組み合わされて、該スリーブを閉じる。
【考案の効果】
【０００８】
上述の技術手段により、本考案の放熱機能付き嵌め込み式ＬＥＤ照明装置は、良好な放熱効果を有し、その使用寿命が延長され、その光減衰が少なく、照度アップの目的を達成する。
【図面の簡単な説明】
【０００９】
【図１】本考案の放熱機能付き嵌め込み式ＬＥＤ照明装置の立体分解図である。
【図２】本考案の放熱機能付き嵌め込み式ＬＥＤ照明装置の組み合わせ断面図である。
【図３】本考案の放熱機能付き嵌め込み式ＬＥＤ照明装置の別の実施例図である。
【考案を実施するための形態】
【００１０】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１１】
図１は本考案の放熱機能付き嵌め込み式ＬＥＤ照明装置の立体分解図である。それは、放熱シート１０、ＬＥＤモジュール１２、スリーブ１４及び透光板１６を包含する。
【００１２】
そのうち、放熱シート１０は加圧加工により形成され、それに第１表面１８と第２表面２０が設けられ、且つ中央部に円柱体２２が形成され、該円柱体２２より外向きに輻射状に複数の放熱片２４が形成され、各放熱片２４は同じ長さを有し、放熱シート１０に円柱状を形成させている。該第１表面１８に複数の第１固定孔２６と複数の第３固定孔２７が形成されている。
【００１３】
ＬＥＤモジュール１２は印刷回路板２８と該印刷回路板２８に設置された複数のＬＥＤチップ３０を包含し、印刷回路板２８の放熱シート１０の複数の第１固定孔２６に対応する位置に第２固定孔３２が形成され、印刷回路板２８が第２ネジ部品４０で放熱シート１０に固定されるのに使用される。
【００１４】
スリーブ１４は中空体とされ、その一端にフランジ３４が形成され、もう一端に開口３５が形成され、フランジ３４の、放熱シート１０の第３固定孔２７に対応する複数の第４固定孔３６が形成され、スリーブ１４が第１ネジ部品３８で放熱シート１０に固定されるのに供され、これによりＬＥＤモジュール１２がスリーブ１４内に配置される。
【００１５】
透光板１６はスリーブ１４の開口３５部分に設けられて、スリーブ１４を閉じる。
【００１６】
図２は本考案の放熱機能付き嵌め込み式ＬＥＤ照明装置の組み合わせ断面図である。組み合わせ時には、第２ネジ部品４０を印刷回路板２８の第２固定孔３２及び放熱シート１０の第１固定孔２６内に通し、ＬＥＤモジュール１２を放熱シート１０の第１表面１８に固定する。さらに、透光板１６をスリーブ１４の開口３５部分に設ける。最後に、第１ネジ部品３８をスリーブ１４の第４固定孔３６及び放熱シート１０の第３固定孔２７内に通し、スリーブ１４を放熱シート１０にネジ止めし、ＬＥＤモジュール１２をスリーブ１４内に配置し、並びに透光板１６でスリーブ１４を閉じ、ＬＥＤモジュール１２の光線を透光板１６をとおし射出させる。
【００１７】
図３は本考案の放熱機能付き嵌め込み式ＬＥＤ照明装置の別の実施例図であり、そのうち、放熱シート１０の円柱体２２に第１表面１８から第２表面２０へと貫通する貫通孔４２が設けられ、嵌め込み式ＬＥＤ照明装置の重量を軽減し、その組立の便利性をアップしている。
【００１８】
以上の組み合わせにより、ＬＥＤモジュール１２が直接放熱シート１０に取り付けられ、その組立上、相当に便利であり、有効に放熱の効果を達成し、製品の使用寿命を延長し光減衰の状況を減らす。
【００１９】
本考案は前述の実施例を以て開示されたが、それは本考案を限定するためのものではなく、この技術に通じた者が、本考案の精神と範囲内においてなし得る変更或いは修飾は、いずれも本考案の権利請求の範囲に属するものとする。
【符号の説明】
【００２０】
１０  放熱シート        １２  ＬＥＤモジュール      １４  スリーブ
１６  透光板            １８  第１表面              ２０  第２表面
２２  円柱体            ２４  放熱片                ２６  第１固定孔
２７  第３固定孔        ２８  印刷回路板            ３０  ＬＥＤチップ
３２  第２固定孔        ３４  フランジ              ３５  開口
３６  第４固定孔        ３８  第１ネジ部品          ４０  第２ネジ部品
４２  貫通孔
【図１】
0003157520.tif 000003
【図２】
0003157520.tif 000004
【図３】
0003157520.tif 000005